(57)【特許請求の範囲】
【請求項１】
建物の防音構造であって；
それぞれコンクリート躯体である、第１の床と、第１の壁と、第１の天井と、から構成される第１の構造と；
前記第１の構造内に前記第１の構造の構築後に構築される第２の構造であって、前記第１の床上に構築される防振構造の第２の床と、前記第１の壁から切り離して構築される第２の壁と、前記第１の天井下に前記第１の天井から切り離して構築される第２の天井と、から構成される第２の構造と；
前記第２の構造内に前記第２の構造の構築後に構築される第３の構造であって、前記第２の床上に構築される防振構造の第３の床と、前記第２の壁内に防振層を介して構築される第３の壁と、前記第２の天井下に防振層を介して構築される第３の天井と、から構成される第３の構造と；を備え、
前記防振層は、厚み方向に所定の圧縮率で圧縮された圧縮グラスウールであり、
前記圧縮グラスウールは、前記第２の構造を構成する外側フレームに固定された遮音ボードと、前記第３の構造を構成する内側フレームに固定された遮音ボードと、によって、挟まれて圧縮されている、建物の防音構造。
【請求項２】
前記第２の構造を構成する外側フレームに固定された遮音ボードの内側にグラスウールボードをさらに備え、
前記圧縮グラスウールは、前記グラスウールボードと、前記第３の構造を構成する内側フレームに固定された遮音ボードと、によって、挟まれて圧縮されている、請求項１に記載された、建物の防音構造。
【請求項３】
前記圧縮グラスウールは、密度２４ｋｇ／ｍ３又は３２ｋｇ／ｍ３のグラスウールを、圧縮率４０〜６０％で圧縮して使用される、請求項１又は請求項２に記載された、建物の防音構造。
【請求項４】
前記第１の床上に構築される前記第２の床の防振構造は、グラスウールボードの上にコンクリートを打設したグラスウール浮床であり、前記第２の床上に構築される前記第３の床の防振構造は、防振ゴムの上にコンクリートを打設した防振ゴム浮床である、請求項１乃至請求項３のいずれか一項に記載された、建物の防音構造。
【請求項５】
すべての区画が、請求項１乃至請求項４のいずれか一項に記載された建物の防音構造を備える、建物。
【発明の詳細な説明】
【技術分野】
【０００１】
本発明は、高い静粛性が求められる集合住宅、オフィスビル、店舗、スタジオ、各種教室、コンサートホール、ライブハウス、シアター等を含むあらゆる建物に適用可能な建物の防音構造に関するものである。
【背景技術】
【０００２】
従来から、集合住宅、スタジオ等を含む建物において、楽器演奏を可能とした二重構造の防音構造が存在している。二重構造の防音構造の建物の防音性能は、一般に、遮音等級Ｄｒ−６０〜Ｄｒ−７０程度であり、ピアノやギター、木管楽器の演奏（１００ｄＢ以下の演奏音）は可能であった。
【０００３】
例えば、特許文献１に記載された浮床隔離構造は、建物躯体とは独立した浮床構造とすることによって、防音空間内の音源から発生する音が、天井や壁の「橋絡材」を介して伝搬することがなくなり、防音性能、遮音性能を向上することができる、というものである。
【先行技術文献】
【特許文献】
【０００４】
【特許文献１】特開２０１２−９７４５２号公報
【発明の概要】
【発明が解決しようとする課題】
【０００５】
しかしながら、特許文献１を含む従来の防音構造では、室内の音源から発せられた空気伝搬音の音波が、壁・天井・床の仕上げ材および遮音材に届くと、壁面・天井面・床面それぞれに面振動が発生してしまい、天井や壁の「橋絡材」が全く無い構造であったとしても、躯体と部屋(音源室）間の密閉された背面空気層が「空気ばね」となった共鳴透過（いわゆる太鼓現象）により躯体に振動を伝搬してしまう。そのため、一度躯体に振動の伝搬が引き起こされると、「ドンドン」というような振動が建物全体へ伝わってしまう、という欠点があった。特に、６３Ｈｚ帯域の空気伝搬音の遮音性能が６０ｄＢに満たないために、重低音や振動を発生するドラムセットやエレキベース等の演奏音が、上下左右の隣接した部屋に漏れて伝わってしまうおそれがあった。
【０００６】
そこで、本発明は、空気伝搬音による面振動を抑制することで、躯体に振動を伝搬させない、建物の防音構造を提供することを目的としている。
【課題を解決するための手段】
【０００７】
前記目的を達成するために、本発明の建物の防音構造は、それぞれコンクリート躯体である、第１の床と、第１の壁と、第１の天井と、から構成される第１の構造と；前記第１の構造内に構築される第２の構造であって、前記第１の床上に構築される防振構造の第２の床と、前記第１の壁から切り離して構築される第２の壁と、前記第１の天井下に前記第１の天井から切り離して構築される第２の天井と、から構成される第２の構造と；前記第２の構造内に構築される第３の構造であって、前記第２の床上に構築される防振構造の第３の床と、前記第２の壁内に防振層を介して構築される第３の壁と、前記第２の天井下に防振層を介して構築される第３の天井と、から構成される第３の構造と；を備えている。
【発明の効果】
【０００８】
このように、本発明の建物の防音構造は、それぞれコンクリート躯体である、第１の床と、第１の壁と、第１の天井と、から構成される第１の構造と；第１の構造内に構築される第２の構造であって、第１の床上に構築される防振構造の第２の床と、第１の壁から切り離して構築される第２の壁と、第１の天井下に第１の天井から切り離して構築される第２の天井と、から構成される第２の構造と；第２の構造内に構築される第３の構造であって、第２の床上に構築される防振構造の第３の床と、第２の壁内に防振層を介して構築される第３の壁と、第２の天井下に防振層を介して構築される第３の天井と、から構成される第３の構造と；を備えている。このような構成であれば、第２の壁と第３の壁との間で防振層が面振動を吸収するとともに、第２の天井と第３の天井との間で防振層が面振動を吸収することで、空気伝搬音による面振動を抑制でき、躯体に振動を伝搬させない、建物の防音構造となる。
【図面の簡単な説明】
【０００９】
【図１】建物の防音構造の断面図である。
【図２】フレームの斜視図である。
【図３】壁の断面図である。
【図４】天井の断面図である。
【図５】グラスウール圧縮充填の説明図である。
【図６】床の断面図である。
【図７】グラスウール圧縮試験の結果を示した表である。
【図８】２４ｋｇ／ｍ３のグラスウール圧縮試験の結果を示したグラフである。
【図９】３２ｋｇ／ｍ３のグラスウール圧縮試験の結果を示したグラフである。
【図１０】Ｄｒ値の一覧表である。
【図１１】遮音性能を示した表及びグラフである。
【発明を実施するための形態】
【００１０】
以下、本発明の実施の形態について図面を参照して説明する。ただし、以下の実施例に記載されている構成要素は例示であり、本発明の技術範囲をそれらのみに限定する趣旨のものではない。
【実施例１】
【００１１】
（全体構成）
はじめに、本実施例の建物の防音構造Ｓの全体構成について説明する。建物の防音構造Ｓは、図１に示すように、第１の構造１０と、第１の構造１０内に構築される第２の構造２０と、第２の構造２０内に構築される第３の構造３０と、によって三重構造とされている。
【００１２】
第１の構造１０は、それぞれコンクリート躯体である、第１の床１１と、第１の壁１２と、第１の天井１３と、から構成される。第１の床１１、第１の壁１２、第１の天井１３の厚みは１８０ｍｍ以上とされることが好ましい。この他、第１の構造１０は、通常のコンクリート躯体構造であるから説明は省略する。なお、例えば、３階の住戸の第１の床１１は、２階の住戸の第１の天井１３に相当する。
【００１３】
第２の構造２０は、第１の床１１上に構築される防振構造の第２の床２１と、第１の壁１２から切り離して構築される第２の壁２２と、第１の天井１３から切り離して構築される第２の天井２３と、から構成される。
【００１４】
より具体的に言うと、第２の構造２０は、第１の構造１０の第１の床１１上に構築されたグラスウール浮床である第２の床２１上に立設された鉄骨製の外側フレーム４０と、この外側フレーム４０に取り付けられた第２の壁２２と第２の天井２３と、から構成される。
【００１５】
鉄骨製の外側フレーム４０は、図２に示すように、主に、角型断面のスチール角パイプによって形成される床部材４１、・・・と、床部材４１に立設される柱部材４２、・・・と、柱部材４２、・・・の上端を結ぶ天井部材４３、・・・と、によって構成されている。コーナー部分には、補強プレート４４、・・・が取り付けられている。さらに、壁面には、所定間隔でスタッド４５が取り付けられるとともに、天井面には、所定間隔で野縁４６が取り付けられる。
【００１６】
第３の構造３０は、第２の床２１上に構築される防振構造の第３の床３１と、第２の壁２２内に防振層（６２）を介して構築される第３の壁３２と、第２の天井２３内に防振層（６３）を介して構築される第３の天井３３と、から構成される。
【００１７】
より具体的に言うと、第３の構造３０は、第２の構造２０の第２の床２１上に構築された防振ゴム浮床である第３の床３１上に立設された鉄骨製の内側フレーム５０と、この内側フレーム５０に取り付けられた第３の壁３２と第３の天井３３と、から構成される。
【００１８】
鉄骨製の内側フレーム５０の構造については、大きさが一回り小さくなっている以外は、上述した外側フレーム４０の構造と略同一であるから説明は省略する。
【００１９】
そして、本実施例の建物の防音構造Ｓは、２種類の自立型鉄骨フレーム（４０、５０）で、圧縮グラスウール（６２、６３）を挟み込んだ複合フレーム防振（防音）構造となっている。すなわち、建物の防音構造Ｓは、グラスウール浮床に支持された自立型鉄骨フレーム４０と、防振ゴム浮床に支持された自立型鉄骨フレーム５０と、それらの間の防振層である圧縮グラスウール（６２、６３）と、を含んでいる。以下では、図３〜図６の詳細な断面図を用いて、壁、天井、床の各防音構造について詳しく説明する。
【００２０】
（壁の防音構造）
まず、図３を用いて、壁の防音構造について説明する。本実施例では、壁については「圧縮グラスウール」を内蔵する「複合フレーム防振構造」となっている。この複合フレーム防振構造は、外側フレーム４０と、内側フレーム５０と、フレーム４０、５０間に介在する防振層（６２）としての圧縮グラスウール６２と、から構成されている。
【００２１】
より具体的に言うと、まず第１の構造１０の第１の壁１２の内面には、発泡ウレタン吹付によって断熱層１２ａが形成されている。そして、空気層を挟んで、複合フレーム防振構造が設置されている。
【００２２】
複合フレーム防振構造は、外側フレーム４０の内面に貼設された遮音ボード２２ａと、内側フレーム５０の内面に貼設された遮音ボード３２ａと、これらの遮音ボード２２ａ、３２ａによって挟まれた圧縮グラスウール６２と、から構成されている。遮音ボード２２ａ、３２ａは、例えば、千鳥張りで三層重ね合わせた強化石膏ボードを用いることができる。なお、本実施例では、外側フレーム４０にはグラスウールからなる吸音層２２ｂがさらに配置されている。
【００２３】
このように、壁の複合フレーム防振構造全体では、低周波数帯域の振動は圧縮グラスウール６２で吸収し、中高周波数帯域の振動は両面の遮音ボード２２ａ、３２ａで遮音するようになっている。すなわち、第一に、低周波の振動を圧縮グラスウール６２で最大８６％カットすることで、外側フレーム４０や遮音ボード２２ａ、躯体へ振動を伝搬しないようになっている。
【００２４】
そして、外側フレーム４０の内面に貼設された遮音ボード２２ａのさらに内面には、絶縁層としてのグラスウールボード７２が設置されている。換言すると、圧縮グラスウール６２は、外側フレーム４０に固定された遮音ボード２２ａに、グラスウールボード７２を介して間接的に圧縮されている。
【００２５】
ここにおいて、圧縮グラスウール６２は、図５（ａ）、（ｂ）に示すように、グラスウール（６２）を厚みの方向に所定の圧縮率で圧縮することで形成される。具体的には、スタッド４５、４５間に所定密度のグラスウール（６２）を充填・配置し、遮音ボード２２ａ、３２ａで圧縮しつつ固定することで、反発力（弾性力）によって振動を抑制するようになっている。
【００２６】
圧縮グラスウール６２（６３）は、実施例２の実験結果を参照して説明するように、密度２４ｋｇ／ｍ３又は３２ｋｇ／ｍ３のグラスウールを、圧縮率４０〜６０％で圧縮して使用されることが好ましい。より具体的に言うと、天井には圧縮グラスウール６３として密度２４ｋｇ／ｍ３のグラスウールを圧縮率５０％で使用し、壁には圧縮グラスウール６２として密度３２ｋｇ／ｍ３のグラスウールを圧縮率５０％で使用することが好ましい。
【００２７】
（天井の防音構造）
次に、図４を用いて、天井の防音構造について説明する。天井についても壁と略同様の「圧縮グラスウール」を内蔵する「複合フレーム防振構造」となっている。この複合フレーム防振構造は、外側フレーム４０と、内側フレーム５０と、フレーム４０、５０間に介在する防振層（６３）としての圧縮グラスウール６３と、から構成されている。
【００２８】
より具体的に言うと、まず第１の構造１０の第１の天井１３の内面には、発泡ウレタン吹付によって断熱層１３ａが形成されている。そして、空気層を挟んで、複合フレーム防振構造が設置されている。
【００２９】
複合フレーム防振構造は、外側フレーム４０の内面に貼設された遮音ボード２３ａと、内側フレーム５０の内面に貼設された遮音ボード３３ａと、これらの遮音ボード２３ａ、３３ａによって挟まれた圧縮グラスウール６３と、から構成されている。遮音ボード２３ａ、３３ａは、例えば、千鳥張りで三層重ね合わせた強化石膏ボードを用いることができる。なお、本実施例では、外側フレーム４０にはグラスウールからなる吸音層２３ｂがさらに配置されている。
【００３０】
このように、天井の複合フレーム防振構造全体では、低周波数帯域の振動は圧縮グラスウール６３で吸収し、中高周波数帯域の振動は両面の遮音ボード２３ａ、３３ａで遮音するようになっている。すなわち、第一に、低周波の振動を圧縮グラスウール６３で最大８６％カットすることで、外側フレーム４０や遮音ボード２３ａ、躯体へ振動を伝搬しないようになっている。
【００３１】
そして、外側フレーム４０の内面に貼設された遮音ボード２３ａのさらに内面には、絶縁層としてのグラスウールボード７３が設置されている。換言すると、圧縮グラスウール６３は、外側フレーム４０に固定された遮音ボード２３ａに、グラスウールボード７３を介して間接的に圧縮されている。圧縮グラスウール６３の構造は、壁の場合の圧縮グラスウール６２と略同様であるから説明を省略する。
【００３２】
（床の防音構造）
次に、図６を用いて、床の防音構造について説明する。本実施例では、床については「複合防振床構造」となっている。この複合防振床構造は、第２の床の防振構造であるグラスウール浮床と、第３の床の防振構造である防振ゴム浮床と、から構成されている。
【００３３】
第２の床２１であるグラスウール浮床は、第１の床１１上に敷設される吸音部材２１ａと、吸音部材２１ａ上に防水シートを介して打設される浮床コンクリート２１ｂと、を備えている。吸音部材２１ａとしては、グラスウールをボード状に加工したグラスウールボードを使用することができる。グラスウールボードは複数枚（例えば２枚）敷設することもできる。
【００３４】
第３の床３１である防振ゴム浮床は、二段の中空防振ゴム３１ａと、中空防振ゴム３１ａの上に耐水合板及び防水シートを介して打設される浮床コンクリート３１ｂと、を備えている。中空防振ゴム３１ａとしては、例えば、高さ３０ｍｍ程度の中空防振ゴムを使用することで、高さを抑えながら高い制振性能を得ることができる。
【００３５】
このように、複合防振床構造全体では、低周波数帯域の振動は上部の防振ゴム浮床で吸収し、中高周波数帯域の振動は下部のグラスウール浮床で遮音するようになっている。すなわち、第一に、二段の中空防振ゴム３１ａによって６３Ｈｚ帯域の振動を最大で９９％カットすることで下部のグラスウール浮床や躯体へ振動を伝搬しないようになっている。
【００３６】
（まとめ）
このような構成によって、本実施例の建物の防音構造Ｓによれば、全周波数帯域における完全防音構造が達成される。すなわち、防音室間の隣戸間界壁および隣戸間界床の空気音遮断性能等級最大Ｄｒ−１１０・８０ｄＢ（６３Ｈｚ）以上、重量床衝撃音遮断等級ＬＨ−３０以上を達成し、楽器同時演奏(バンド演奏を含む)の空気伝搬音およびエアロビクス等の団体スポーツの固定伝搬音が隣室や下階で一切「聞こえない」レベルに減衰する”全周波数帯域における完全防音”が実現される（図１０、図１１参照）。
【００３７】
さらに、建物の１つの区画だけでなく、建物の他の区画（集合住宅やオフィスの全区画の居室や執務空間など）を全て同等の防音防振構造とすることで防振性能が倍増し、壁・天井の振動は最大９８バーセント、床の振動は最大９９パーセント削減された完全防振構造となり、他室への体感可能なレベルの振動伝搬が一切発生しないようにできる。
【００３８】
また、本実施例の建物の防音構造Ｓによれば、壁：２６４ｍｍ・天井：３００ｍｍ・床：３０６ｍｍ(仕上材を除く)の薄い防音層の厚みで空気音遮断性能等級Ｄｒ−１００以上を達成でき、室内有効面積を広く、基準階の階高を３，１６０ｍｍに抑えることが可能となる。但し、Ｄｒ−１１０を達成するためには階高３，３６０ｍｍ（天井高２，４００ｍｍの場合）が必要となる。
【００３９】
（効果）
次に、本実施例の建物の防音構造Ｓの奏する効果を列挙して説明する。
【００４０】
（１）上述してきたように、本実施例の建物の防音構造Ｓは、それぞれコンクリート躯体である、第１の床１１と、第１の壁１２と、第１の天井１３と、から構成される第１の構造１０と；第１の構造１０内に構築される第２の構造２０であって、第１の床１１上に構築される防振構造の第２の床２１と、第１の壁１２から切り離して構築される第２の壁２２と、第１の天井１３下に第１の天井１３から切り離して構築される第２の天井２３と、から構成される第２の構造２０と；第２の構造２０内に構築される第３の構造３０であって、第２の床２１上に構築される防振構造の第３の床３１と、第２の壁２２内に防振層６２を介して構築される第３の壁３２と、第２の天井２３下に防振層６３を介して構築される第３の天井３３と、から構成される第３の構造３０と；を備えている。このような構成であれば、第２の壁２２と第３の壁３２との間で防振層（６２）が面振動を吸収するとともに、第２の天井２３と第３の天井３３との間で防振層（６３）が面振動を吸収することで、空気伝搬音による面振動を抑制でき、躯体に振動を伝搬させない、建物の防音構造Ｓとなる。
【００４１】
（２）また、防振層（６２、６３）は、厚み方向に所定の圧縮率で圧縮された圧縮グラスウール６２、６３であるため、量産されて入手しやすい簡単な構造によって、交換が不要でランニングコストが安い防振層を構築することができる。さらに、グラスウールは、無機質のガラス繊維のみから形成されるため、経年劣化することもない。この場合、ガラス繊維が濡れないようにするため、躯体全面に発泡ウレタン断熱材を吹き付けることで、躯体にひび割れが生じた際にも防音室内への浸水を防止することができる。
【００４２】
（３）さらに、圧縮グラスウール６２（６３）は、第２の構造２０を構成する外側フレーム４０に固定された遮音ボード２２ａ（２３ａ）と、第３の構造３０を構成する内側フレーム５０に固定された遮音ボード３２ａ（３３ａ）と、によって、挟まれて圧縮されるように構成することが好ましい。このように構成することで、遮音ボード２２ａ、３２ａによって、外側フレーム４０と内側フレーム５０の間に設置されたグラスウールを容易に圧縮することができる。
【００４３】
（４）また、第２の構造２０を構成する外側フレーム４０に固定された遮音ボード２２ａ（２３ａ）の内側にグラスウールボード７２（７３）をさらに備え、圧縮グラスウール６２（６３）は、グラスウールボード７２（７３）と、第３の構造３０を構成する内側フレーム５０に固定された遮音ボード３２ａ（３３ａ）と、によって、挟まれて圧縮されるように構成することが好ましい。このようにグラスウールボード７２（７３）を介して、外側フレーム４０に接触させることで、グラスウールボード７２（７３）が絶縁部材として機能するようになる。
【００４４】
（５）さらに、圧縮グラスウール６２（６３）は、密度２４ｋｇ／ｍ３又は３２ｋｇ／ｍ３のグラスウールを、圧縮率４０〜６０％で圧縮して使用されることによって、低周波数帯域の振動を最大８６％カットすることができる。より好ましくは、天井には圧縮グラスウール６３として密度２４ｋｇ／ｍ３のグラスウールを圧縮率５０％で使用し、壁には圧縮グラスウール６２として密度３２ｋｇ／ｍ３のグラスウールを圧縮率５０％で使用することが好ましい。
【００４５】
（６）また、第１の床１１上に構築される第２の床２１の防振構造は、グラスウールボードの上にコンクリートを打設したグラスウール浮床であり、第２の床２１上に構築される第３の床３１の防振構造は、防振ゴムの上にコンクリートを打設した防振ゴム浮床であることが好ましい。このような構成であれば、低周波数帯域の振動は上部の防振ゴム浮床で吸収し、中高周波数帯域の振動は下部のグラスウール浮床で遮音するようになっている。
【００４６】
（７）さらに、すべての区画が、上述したいずれかの建物の防音構造Ｓを備えることで、防振性能が倍増し、壁・天井の振動は最大９８バーセント、床の振動は最大９９パーセント削減された完全防振構造となり、他室への体感可能なレベルの振動伝搬が一切発生しないようにできる。
【００４７】
（その他の作用・効果）
その他、本実施例の建物の防音構造Ｓは、以下のような効果・利点も有している。
【００４８】
（効果Ａ）隣戸間界床および隣戸間界壁の空気伝搬音の遮断性能等級「Ｄｒ−１００」以上
６３Ｈｚ〜２５０Ｈｚの低周波数帯域の遮音性能が大幅に向上することで、遮断性能等級Ｄｒ−１００以上を安定的に達成し、躯体スラブや浮床スラブ等を厚くすることで、最大でＤｒ−１１０程度までの防音性能向上が実現可能である。
（参照：図１０「表：Ｄｒ値(空気音遮断性能の評価)一覧表」）
【００４９】
（効果Ｂ）重量床衝撃音の遮断性能等級「ＬＨ−３０」以上
重量床衝撃音の評価を決定する主な周波数帯域である６３Hzの振動を最大９９％カットすることで、重量床衝撃音の遮断性能等級ＬＨ−３０以上を安定的に実現できる。
【００５０】
（効果Ｃ）「全周波数帯域完全防音」
最大Ｄｒ−１１０の遮音性能により、１３０デシベルもの大音量を発するドラムを含むバンド演奏等の演奏音や、ＬＨ−３０以上の遮断性能により飛び跳ねを伴うエアロビクスなどの団体スポーツ等の振動など、室内で通常想定されるあらゆる音や振動を「聞こえない」レベルへ減衰させる「全周波数帯域完全防音」を実現できる。
【００５１】
（利点１）経年劣化による防振性能の低下がない     
天井および壁に使用する圧縮グラスウール防振層の防振材には、無機質のガラス繊維だけを使用するために経年劣化が無い。
ガラス繊維が長期にわたって濡れない様に注意する必要があるため、防音室の躯体全面に発泡ウレタン断熱材を吹き付けることで、躯体にひびが発生した際の防音室内への浸水対策とすると良い。
ゲルなどの樹脂製制振材は、制振性能が高いがわずか３〜５年程度の耐久性しかない。
【００５２】
（利点２）防音コストが低い
主に量産されているグラスウールを圧縮して使用する防振構造のため、高価な制振材料を使用しなくて良いので防音にかかるイニシャルコスト（初期費用）が低く、交換が不要なのでランニングコストがかからない。
【００５３】
（利点３）階高が抑えられる
本発明は基準階の階高が３，１６０ｍｍ程で遮音性能Ｄｒ−１００が達成可能なので、日影制限のかからない１０ｍの高さ制限がある用途地域で3階建てを計画しやすい。
但し、Ｄｒ−１１０の遮音性能を達成するためには階高３，３６０ｍｍ程度が必要となる。
【００５４】
（利点４）壁が薄く出来る
薄い防音壁構造により室内の有効面積を広くすることが出来る。グラスール単体で６３Ｈｚ帯域を１００％カットするにはグラスウールの吸音層が５００ｃｍ必要になるが、本発明によれば壁の防音層(躯体から室内仕上げ材までの間隔)はわずか２６ｃｍ程度で良い。
【００５５】
（利点５）２４時間バンド演奏やエアロビクス等のスポーツが可能になる
63Hz〜250Hz帯域の低音域の遮音性能および制振性能が大幅に向上することで、今まで音漏れが起きていた大音量の重低音や振動を発するバンド演奏や、下階へ振動伝搬を引き起こすエアロビクスなどの団体スポーツが、深夜の時間帯を含めて24時間可能となる。
【００５６】
（利点６）静粛性が求められる集合住宅やビル等において、騒音や振動に関する不満が完全に解消される。
全周波数帯域における完全防音により音漏れが発生しないので、静粛性が求められる集合住宅やビル等において最も深刻な課題であった騒音や振動に関するクレームがなくなる。
但し、建物躯体に直接触れる建築工事等による騒音は完全には削減出来ない。
【実施例２】
【００５７】
以下、図７〜図１１を用いて、圧縮グラスウールの好適な密度及び圧縮率を求めることを目的として実施したグラスウール圧縮試験について説明する。なお、実施例１で説明した内容と同一乃至均等な部分の説明については同一符号を付して説明する。
【００５８】
（実験条件）
実験条件は以下の通りである。
試験体  石膏ボード455mm×910mm：上段：9.5mm三重張り  下段：9.5mm三重張り
グラスウール密度16kg/m3・24kg/m3・32kg/m3 
圧縮前のグラスウールの厚さ：いずれも100mm厚 
圧縮方法：クイックバークランプを使用して6個所で圧縮
測定方法：ボード上1.5m地点からボード中心にボールを落下、ボード端部に振動計(スマホアプリ)を設置して測定。
振動加速度(m/s/s)は振動計アプリ「Vibroscope」で測定  ※振動加速度はZ軸のピーク値
振動加速度レベル(dB)は周波数補正無し、振動加速度から変換。
【００５９】
（実験結果）
実験結果は以下の通りである。
◎グラウスールの密度によって現場施工で圧縮可能な圧縮率が異なる。ボードの耐久性の影響も受ける。
石膏ボードを人力によって圧縮可能なグラスウールの圧縮率は、96kで20%、32kおよび24Kで60%、16kで80％がおよその限界であった。
グラスウールの圧縮率を上げすぎるとボードが膨れたり、一部が破断するおそれがある。
◎圧縮グラスウールによるボードのたわみを防ぐために、鉄骨下地材の間隔は壁・天井共に303mm以内とする。
◎グラスウールの圧縮充填手順は、手に体重をのせて遮音ボードでGWを圧縮して鉄骨下地に押し付けてビス止めする。天井はボードに力を乗せにくいので3人で作業をする必要がある。
◎石膏ボードは、長手方向曲げ破壊荷重300N以上の12.5mm以上の厚さの強化石膏ボード（吉野石膏  製品名：スーパーハード）を使用する。普通強度の石膏ボードでは破断するおそれがある。
◎軽量鉄骨下地へ圧縮グラスウールが充填された石膏ボードを留めるには、軽量鉄骨下地材に壁は200mm以下・天井は150mm下の間隔でビス留めを行う必要がある。
◎16kg/m3グラスウールは、反発力が小さいので圧縮型防振層には適さない。振動吸収率を70%以上にするためには厚さを3分の１以下に圧縮しなければならない。
◎24kg/m3グラスウールの圧縮試験の結果をグラフに図示する。圧縮率を高めると振動吸収率は放物線を描いて上昇するが、およそ80％で頭打ちとなる。
参照  図：グラスウール圧縮試験の結果(24kg/m3・100mm厚)
◎32kg/m3グラスウールの圧縮試験の結果をグラフに図示する。圧縮率を高めると振動吸収率は放物線を描いて上昇するが、およそ86％で頭打ちとなる。
参照  図：グラスウール圧縮試験の結果(32kg/m3・100mm厚)
◎グラスウール圧縮時の振動加速度試験結果のまとめ
16kg/m3・100mm厚→33mm厚（圧縮率67%)で、振動加速度レベルは約-12dB、振動は約76%カットされる。
24kg/m3・100mm厚→50mm厚（圧縮率50%)で、振動加速度レベルは約-13dB、振動は約77%カットされる。
24kg/m3・100mm厚→40mm厚（圧縮率60%)で、振動加速度レベルは約-14dB、振動は約80%カットされる。
32kg/m3・100mm厚→50mm厚（圧縮率50%)で、振動加速度レベルは約-15dB、振動は約82%カットされる。
32kg/m3・100mm厚→40mm厚（圧縮率60%)で、振動加速度レベルは約-17dB、振動は約86%カットされる。
（図７〜図９を参照。）
◎通常品質のグラスウール(ガラス繊維の太さ7μm)の振動吸収率の上限はおおむね86％である。ボードが絶えられる圧縮充填の圧縮率には限界があるため、振動吸収率は86%前後で頭打ちとなる。
振動吸収率の最高値は、32 kg/m3のグラスウールを圧縮率60％とした場合に振動吸収率が約86%となった。
◎圧縮グラスウールばねの作成に最適な密度は、振動吸収率が高く、グラスウールロール製品に厚さのバリエーションが多い24k〜32 kg/m3が優れている。
圧縮前のグラスウールが厚すぎると圧縮充填の際に施工性が悪くなるため、圧縮率の上限は50%程度とする様にグラスウール密度と厚さを選定すべきである。
また、振動吸収率を高めるために圧縮率を上げすぎると、ボードにたわみが発生するおそれがあるため、24〜32 kg/m3いずれも圧縮率は50%に留めるべきである。
◎通常品質グラスウール100mm厚・圧縮率50%の場合の振動吸収率は、16 kg/m3が54.75％、24 kg/m3が76.79%、32 kg/m3が82.14%である。
◎体重をかけて圧縮充填が行いやすい壁には、32 kg/m3の密度のグラスウールを圧縮率50%で充填すると良い。振動吸収率は約82%となる。
◎天井は壁と比較して圧縮充填することが困難であるため、24 kg/m3の密度のグラスールを圧縮率50%で充填すると良い。振動吸収率は約77%となる。
◎”圧縮グラスウール防振層”により、吸音層や背面空気層の厚さを薄くしても、制振性能（1〜80Hzの重低音域の遮音性能)を大幅に向上できるメリットがあることが分かった。
◎グラスウールの成分であるガラス繊維は無機質でほとんど経年劣化しないため、圧縮防振層の制振性能はグラスウールが濡れない限り半永久的に保たれる。
◎振動の大きさは、振動加速度(単位m/s/s)、速度(m/s)、距離(m)等で表され、振動加速度レベルは人間が感じられる振動である1〜80Hz帯域の対数表示(dB:デシベル)で表される。
◎グラスウールには、標準品質のものと高品質の製品があり、ガラス繊維の細さ（標準:７μm・高品質：3〜4μm    μm：マイクロメートル）や繊維の量が異なる。
◎高品質グラスウールは、ガラス繊維の太さが3〜4マイクロメートルと細かく、繊維量も多いので、より高い制振性能を発揮できる可能性もあるが、コストが高くなる欠点がある。
◎圧縮前のグラスウールの厚さが200mmの場合は、100mmの厚さを圧縮した場合よりも振動吸収率は3％程度高くなった。
◎圧縮グラスウール防振層が吸収した後の振動を躯体側の遮音ボードやグラスウール浮床の鉄骨フレームへ伝えないために、絶縁材としてベースボード(密度96kg/m3・25mm厚のグラスウールボード)を圧縮防振層の下地にすると良い。
【００６０】
なお、この他の構成および作用効果については、前記実施の形態と略同様であるため説明を省略する。
【００６１】
以上、図面を参照して、本発明の実施例を詳述してきたが、具体的な構成は、この実施例に限らず、本発明の要旨を逸脱しない程度の設計的変更は、本発明に含まれる。
【００６２】
例えば、実施例では、圧縮グラスウールは、密度２４ｋｇ／ｍ３又は３２ｋｇ／ｍ３のグラスウールを、圧縮率４０〜６０％で圧縮して使用されることが好ましいとして説明したが、これに限定されるものではなく、圧縮可能なグラスウールであれば他の密度、圧縮率であっても、またロックウール等の他の無機材であっても、本発明を適用することができる。
【００６３】
また、実施例では、床の防音構造について、外側のグラスウール浮床と、内側の防振ゴム浮床と、の組み合わせが好ましいとして説明したが、これに限定されるものではなく、他の防音構造（浮床構造）であっても本発明を適用することができる。
【００６４】
さらに、実施例では、遮音ボード２２ａ、２３ａ、３２ａ、３３ａとして、三層の強化石膏ボードとして説明したが、これに限定されるものではなく、グラスウールと接する１枚目のボードに構造用合板（例：厚さ１２ｍｍ）を用いることも好ましい。このように構成することで、グラスウール圧縮時に生じるたわみへの耐久性とくぎ側面抵抗性とを向上させることができる。
【符号の説明】
【００６５】
１０        ：第１の構造
１１        ：第１の床
１２        ：第１の壁
１２ａ      ：断熱層
１３        ：第１の天井
１３ａ      ：断熱層
２０        ：第２の構造
２１        ：第２の床
２１ａ      ：吸音部材
２１ｂ      ：浮床コンクリート
２２        ：第２の壁
２２ａ      ：遮音ボード
２２ｂ      ：吸音層
２３        ：第２の天井
２３ａ      ：遮音ボード
２３ｂ      ：吸音層
３０        ：第３の構造
３１        ：第３の床
３１ａ      ：中空防振ゴム
３１ｂ      ：浮床コンクリート
３２        ：第３の壁
３２ａ      ：遮音ボード
３３        ：第３の天井
３３ａ      ：遮音ボード
４０        ：外側フレーム
４１        ：床部材
４２        ：柱部材
４３        ：天井部材
４４        ：補強プレート
４５        ：スタッド
４６        ：野縁
５０        ：内側フレーム
６２        ：圧縮グラスウール（防振層）
６３        ：圧縮グラスウール（防振層）
７２        ：グラスウールボード
７３        ：グラスウールボード
Ｓ          ：防音構造
【要約】
【課題】空気伝搬音による面振動を抑制することで、躯体に振動を伝搬させない、建物の防音構造を提供する。
【解決手段】建物の防音構造Ｓは、コンクリート躯体である、第１の床１１と、第１の壁１２と、第１の天井１３と、から構成される第１の構造１０と；第１の構造１０内に構築される第２の構造２０であって、第１の床１１上に構築される防振構造の第２の床２１と、第１の壁１２から切り離して構築される第２の壁２２と、第１の天井１３下に第１の天井１３から切り離して構築される第２の天井２３と、から構成される第２の構造２０と；第２の構造２０内に構築される第３の構造３０であって、第２の床２１上に構築される防振構造の第３の床３１と、第２の壁２２内に防振層６２を介して構築される第３の壁３２と、第２の天井２３下に防振層６３を介して構築される第３の天井３３と、から構成される第３の構造３０と；を備えている。
【選択図】図１【図１】
0006815615.tif 000002
【図２】
0006815615.tif 000003
【図３】
0006815615.tif 000004
【図４】
0006815615.tif 000005
【図５】
0006815615.tif 000006
【図６】
0006815615.tif 000007
【図７】
0006815615.tif 000008
【図８】
0006815615.tif 000009
【図９】
0006815615.tif 000010
【図１０】
0006815615.tif 000011
【図１１】
0006815615.tif 000012